【手続補正書】
【提出日】平成23年1月6日(2011.1.6)
【手続補正１】
【補正対象書類名】特許請求の範囲
【補正対象項目名】請求項１
【補正方法】変更
【補正の内容】
【請求項１】
タッチスクリーンを有する携帯電子装置に適したグラフィックメニューバーを操作するグラフィックメニューバー操作方法であって、
正の整数であるＭ個のグラフィック項目が順次に配置されているグラフィックメニューバーを得る工程と、
グラフィックメニューバー内の、Ｍよりも小さい正の整数であるＮ個のつながったグラフィック項目を表示するために、前記タッチスクリーンを座標軸方向に沿ってＮ個の表示ブロックに分割する工程と、
前記タッチスクリーンが前記表示ブロック内のタッチ信号を検出し、このタッチ信号が第１の変位量に亘って座標軸方向に向けて移動すると、前記タッチスクリーン上に表示されたグラフィックメニューバーを前記座標軸方向とは反対の方向で、前記第１の変位量と（Ｍ−Ｎ）／Ｎとの積に等しい第２の変位量に亘って移動させる工程と
を具えるグラフィックメニューバー操作方法。
【手続補正２】
【補正対象書類名】特許請求の範囲
【補正対象項目名】請求項６
【補正方法】変更
【補正の内容】
【請求項６】
タッチ信号を検出するタッチスクリーンと、
正の整数であるＭ個のグラフィック項目が順次に配置されているグラフィックメニューバーを生成するためのグラフィックメニューバー生成モジュールと、
前記タッチスクリーンを、座標軸方向に沿って、Ｍよりも小さい正の整数であるＮ個の表示ブロックに分割し、前記グラフィックメニューバー内の、Ｎ個のつながったグラフィック項目を表示し、前記タッチスクリーンにより検出されたタッチ信号に応じて前記グラフィックメニューバーを移動させるグラフィックメニューバー表示モジュールと
を具えるグラフィックメニューバー操作装置であって、
前記タッチスクリーンが前記表示ブロック内のタッチ信号を検出し、このタッチ信号が第１の変位量に亘って座標軸方向に向けて移動すると、前記タッチスクリーン上に表示されたグラフィックメニューバーを前記座標軸方向とは反対の方向で、前記第１の変位量と（Ｍ−Ｎ）／Ｎとの積に等しい第２の変位量に亘って移動させるようにしたグラフィックメニューバー操作装置。
【手続補正３】
【補正対象書類名】明細書
【補正対象項目名】０００８
【補正方法】変更
【補正の内容】
【０００８】
上述した又はその他の目的を達成するために、本発明は、タッチスクリーンを有する携帯電子装置に適したグラフィックメニューバー操作方法であって、以下の工程を有する方法を提供する。最初に、順次に配置したＭ（Ｍは正の整数）個のグラフィック項目を有するグラフィックメニューバーを得る。次に、グラフィックメニューバーにおけるＮ個のつながったグラフィック項目を表示するために、タッチスクリーンを座標軸方向に沿ってＮ個の表示ブロックに分割する。この場合、ＮをＭよりも小さい正の整数とする。タッチスクリーンが表示ブロックにおいてタッチ信号を検出し、この信号が第１の変位量に亘って座標軸方向に向って移動した場合、タッチスクリーン上に表示されたグラフィックメニューバーを第２の変位量に亘って、この座標軸方向とは逆の方向に向けて移動させる。この第２の変位量は、第１の変位量と（Ｍ−Ｎ）／Ｎとの積に等しくする。
【手続補正４】
【補正対象書類名】明細書
【補正対象項目名】００１２
【補正方法】変更
【補正の内容】
【００１２】
本発明は更に、グラフィックメニューバーを操作する装置であって、タッチスクリーンと、グラフィックメニューバー生成モジュールと、グラフィックメニューバー表示モジュールとを有する装置を提供する。前記タッチスクリーンは、タッチ信号を検出するのに用いる。前記グラフィックメニューバー生成モジュールは、順次に配置した、正の整数であるＭ個のグラフィック項目を有するグラフィックメニューバーを生成するのに用いる。前記グラフィックメニューバー表示モジュールは、タッチスクリーンを、座標軸方向に沿ってＮ個の表示ブロックに分割し、グラフィックメニューバー内のＮ個のつながったグラフィック項目を表示し、タッチスクリーンにより検出されたタッチ信号に応じてグラフィックメニューバーを移動させるのに用い、前記ＮをＭよりも小さい正の整数とする。タッチスクリーンが表示ブロックにおけるタッチ信号を検出し、このタッチ信号が第１の変位量に亘って座標軸方向に向けて移動する場合、タッチスクリーン上に表示されたグラフィックメニューバーを第２の変位量に亘って、この座標軸方向とは逆の方向に向けて移動させる。この第２の変位量は、第１の変位量と（Ｍ−Ｎ）／Ｎとの積に等しくする。
【手続補正５】
【補正対象書類名】明細書
【補正対象項目名】００１４
【補正方法】変更
【補正の内容】
【００１４】
本発明は更に、コンピュータプログラムを記録するのに適した記録媒体を提供する。コンピュータプログラムには、複数のプログラムコードが含まれており、これらのプログラムコードは携帯電子装置内にローディングされて、この携帯電子装置が、グラフィックメニューバーを操作する方法を実行するようにする。この方法は、以下の工程を有する。最初に、順次に配置したＭ（Ｍは正の整数）個のグラフィック項目を有するグラフィックメニューバーを得る。次に、グラフィックメニューバーにおけるＮ個のつながったグラフィック項目を表示するために、携帯電子装置のタッチスクリーンを座標軸方向に沿ってＮ個の表示ブロックに分割する。この場合、ＮをＭよりも小さい正の整数とする。タッチスクリーンが表示ブロックにおいてタッチ信号を検出し、この信号が第１の変位量に亘って座標軸方向に沿って移動した場合、タッチスクリーン上に表示されたグラフィックメニューバーを第２の変位量に亘って前記座標軸方向とは逆の方向に移動させる。この第２の変位量は、第１の変位量と（Ｍ−Ｎ）／Ｎとの積に等しくする。
【手続補正６】
【補正対象書類名】明細書
【補正対象項目名】００２６
【補正方法】変更
【補正の内容】
【００２６】
タッチスクリーンは、ユーザが表示ブロックで行ったタッチ動作を、表示ブロックの設定に応じて連続的に検出し、対応するタッチ信号を発生させる。タッチスクリーンが表示ブロックでタッチ信号を検出し、タッチ信号が第１の変位量に亘って座標軸方向に向けて移動することを決定すると、携帯電子装置は、タッチスクリーン上に表示されているグラフィックメニューバーを、第２の変位量に亘って前記座標軸方向とは反対の方向に向けて移動させる（ステップＳ４３０）。第２の変位量は、第１の変位量と（Ｍ−Ｎ）／Ｎとの積に等しい。ＭはＮよりも大きい為、グラフィックメニューバーの移動速度は、ユーザの指がタッチスクリーン上で摺動する速度よりも速く、従って、ユーザは、１回のタッチ動作で全てのグラフィック項目を操作しうる。
【手続補正７】
【補正対象書類名】明細書
【補正対象項目名】００２８
【補正方法】変更
【補正の内容】
【００２８】
例えば、図５ａ及び５ｂは、本発明の一実施例によるグラフィックメニューバー操作方法を示す線図である。最初に、図５ａを参照するに、本例では、タッチスクリーン５００の幅がＬであり、最初の５つのグラフィック項目（全部で９つのグラフィック項目）を予め表示するために、このタッチスクリーン５００が５つの表示ブロックに分割されているものと仮定する。この時点で、ユーザがホーム２１０にタッチし、Ｌ／９の距離に亘って右方向に摺動させると、これに対応してグラフィックメニューバーの全体が（Ｌ／９）×（（９−５）／５）＝４Ｌ／４５（すなわち、１つのグラフィック項目の距離）に亘って左方向に移動する。この時点で、例えば、タッチスクリーン５００上のホーム２１０のグラフィック項目が左側から消滅し、（図５（ｂ）に示すように）音楽プレーヤ２６０のグラフィック項目が右側から現れる。一方、この時点で、タッチ信号の位置はコンタクト２２０のグラフィック項目上に位置し、従って、携帯電子装置はコンタクト２２０のグラフィック項目を拡大表示するとともに、このコンタクト２２０に対応するユーザインタフェースをグラフィックメニューバー２００の上方に表示する。
【手続補正８】
【補正対象書類名】明細書
【補正対象項目名】００３０
【補正方法】変更
【補正の内容】
【００３０】
同様に、ユーザがホーム２１０から２Ｌ／９の距離に亘って右方向に摺動を行うと、これに対応してグラフィックメニューバー２００が（２Ｌ／９）×（（９−５）／５）＝８Ｌ／４５の距離に亘って左方向に移動する。この時点で、コンタクト２２０のグラフィック項目が左側から消滅し、ブラウザ２７０のグラフィック項目が右側から現れ、以下同様である。ユーザがＬの距離に亘って摺動を行うと、グラフィックメニューバー２００は最後のグラフィック項目（設定２９０）まで移動する。要するに、変位量の規定において、グラフィックメニューバーの重みが大きくなると、ユーザは、グラフィックメニューバー２００の移動速度が指によるタッチ及びドラッグ速度よりも速いということを視覚的に感じるようにする。
【手続補正９】
【補正対象書類名】明細書
【補正対象項目名】００３５
【補正方法】変更
【補正の内容】
【００３５】
特に、タッチスクリーン６１０が表示ブロック内のタッチ信号を検出し、このタッチ信号が第１の変位量に亘って座標軸方向に向けて移動すると、グラフィックメニューバー表示モジュール６３０が第２の変位量に亘ってこの座標軸方向とは反対の方向に向けてグラフィックメニューバーを移動させる。この第２の変位量は第１の変位量と（Ｍ−Ｎ）／Ｎとの積に等しい。従って、本例の装置６００は、ユーザがグラフィックメニューバーを迅速に移動させてグラフィック項目間で探索を行い、所望の機能を実行しうるようにする。
【手続補正１０】
【補正対象書類名】図面
【補正対象項目名】図４
【補正方法】変更
【補正の内容】
【図４】
2009266220.tif 000001
【手続補正１１】
【補正対象書類名】図面
【補正対象項目名】図５
【補正方法】変更
【補正の内容】
【図５】
2009266220.tif 000002